(57)【要約】      （修正有）【課題】スプリンクラーヘッドカバーが設置されたスプリンクラーヘッドにおいて、ロッジメントの発生を防止して正規の散水パターンを得られるスプリンクラーヘッドを提供する。【解決手段】本体１の一端側に給水配管と接続されたノズル６を有し、ノズル６は弁体２により閉塞され、弁体２は感熱分解部により支持され本体１の内部に係止されており、感熱分解部の近傍には板状のデフレクター４が配置され、デフレクター４は本体１の外部に穿設した穴１５に挿通されたピン１２と固定されておりピン１２は穴１５に沿ってノズル６の放水方向に移動可能であり、本体１の外部に設置されたサポートカップ５には筒体３１とカバープレート３２からなり、火災の熱によってカバープレート３２が筒体３１から離脱するスプリンクラーヘッドカバー２００が接続されており、デフレクター４をカバープレート３２側に付勢する付勢部材２０を設けた。【選択図】図２
2014076241.tif 000002
【特許請求の範囲】
【請求項１】
本体の一端側に給水配管と接続されたノズルを有し、ノズルは弁体により閉塞され、弁体は感熱分解部により支持され本体内部に係止されており、感熱分解部の近傍には板状のデフレクターが配置され、デフレクターは本体外部に穿設した穴に挿通されたピンと固定されており、ピンは穴に沿ってノズルの放水方向に移動可能であり、本体外部に設置された筒状のサポートカップには、筒体とカバープレートからなり火災の熱によってカバープレートが筒体から離脱するスプリンクラーヘッドカバーが着脱可能に接続されており、デフレクターをカバープレート側に付勢する付勢部材を設けたことを特徴とするスプリンクラーヘッド。
【請求項２】
付勢部材はサポートカップとピンの間に設置され、ピンを介してデフレクターをカバープレート側に付勢する請求項１記載のスプリンクラーヘッド。
【請求項３】
ピンはサポートリングと接しており、サポートリングを介して付勢部材により付勢される請求項１または請求項２記載のスプリンクラーヘッド。
【請求項４】
付勢部材はピンの中間部に設けられた鍔部と本体との間に設置され、ピンを介してデフレクターをカバープレート側に付勢する請求項１〜請求項３記載の何れか１項記載のスプリンクラーヘッド。
【請求項５】
付勢部材は本体とデフレクターの間に配置され、デフレクターをカバープレート側に付勢する請求項１〜請求項４記載の何れか１項記載のスプリンクラーヘッド。
【請求項６】
前記スプリンクラーヘッドは、壁面に設置されるる請求項１〜請求項５記載の何れか１項記載のスプリンクラーヘッド。
【発明の詳細な説明】
【技術分野】
【０００１】
本発明は、消火用のスプリンクラーヘッドに関するものであり、平時はスプリンクラーヘッドがカバープレートによって室内側から見えないように隠蔽され、火災時にはカバープレートが脱落してスプリンクラーヘッドが露出するコンシールド型スプリンクラーヘッドに関する。
【背景技術】
【０００２】
スプリンクラーヘッドは、建物内の天井や壁面に設置されており、火災時に作動して水を散布し火災を抑制・鎮圧するものである。スプリンクラーヘッドは一端側にノズルを有しており、ノズルは天井裏に敷設された給水配管と接続している。他端側には感熱作動部が設置されており、平時において感熱作動部はノズルを閉止する弁体を支持している。感熱作動部が火災の熱によって分解作動することで弁体がノズルから離れてノズルが開放される。感熱作動部の先端は天井ボードに穿設された穴を通じて室内側に突出して配置されている。
【０００３】
上記のスプリンクラーヘッドにおいて、意匠性を向上させるためにスプリンクラーヘッドカバーを設置した構造のものがある（例えば、特許文献１、２参照）。
【０００４】
特許文献１に記載されているスプリンクラーヘッドとスプリンクラーヘッドカバーは、天井下面に設置されており、特許文献２のものは壁面に設置されている。どちらのスプリンクラーヘッドカバーもスプリンクラーヘッドカバーのカバープレートは椀状であり、室内側に膨らんだ形状をしている。
【０００５】
近年においては、上記のカバープレートを平板状にしてさらに意匠性を向上させた構造のものがある（例えば、特許文献３参照）。図８に特許文献３に記載されているスプリンクラーヘッドを示す。このスプリンクラーヘッドは大部分の構成品が天井裏側に配置されている。
【０００６】
図８に示すスプリンクラーヘッドＡは、火災時には先にカバープレート１１０が脱落して、カバープレート１１０により支えられていた板状のデフレクター１１１が自重により下方へ移動する。デフレクター１１１はピン１１２によって保持され、天井Ｃの下面から室内側へ突出した位置に配置される。
【０００７】
続いて火災の熱によりスプリンクラーヘッドＡの感熱分解部１１３が分解作動すると、感熱分解部１１３によって支えられていた弁１１４がノズル１１５から離れてノズル１１５が開放する。ノズル１１５の開放により給水配管１１６内の水がノズル１１５から放出して、デフレクター１１１に衝突し、デフレクター１１１により水は四方へ飛散される。これによりスプリンクラーヘッドから飛散した水が火元に到達して火災を鎮圧する。
【先行技術文献】
【特許文献】
【０００８】
【特許文献１】特開２００５−２７９０８３号公報
【特許文献２】特開平１１−２６７２４３号公報
【特許文献３】特開２０１２−８０９６１号公報
【発明の概要】
【発明が解決しようとする課題】
【０００９】
上記のとおり、図８に示すスプリンクラーヘッドは大部分の構成品を天井裏側に配置させて、カバープレートの脱落とともにデフレクターが室内側に突出する構造としたことにより、スプリンクラーヘッドカバーのカバープレートを天井面とフラットな平板形状にすることができた。
【００１０】
一方、特許文献２の壁面に設置される構造のスプリンクラーヘッドおよびスプリンクラーヘッドカバーについて、図８のようにカバープレートをフラットな形状にしようとすると、いくつかの問題が懸念される。
【００１１】
その一つとして、火災時にカバープレートが脱落した際に、デフレクターが室内側に移動せずに、感熱分解部の近傍に配置された状態で感熱分解部が作動すると、感熱分解部の構成部品がデフレクターに衝突したり、デフレクターに係止されてしまい所謂ロッジメントとなり作動不良となる可能性がある。
【００１２】
デフレクターに感熱分解部の構成部品が係止された状態でノズルから水が放出されると、デフレクターに係止された部品が散水の妨げとなり、正規の散水パターンが得られずに水の散布に偏りが生じて火災を延焼させてしまうおそれがある。
【００１３】
そこで本発明では、上記問題に鑑み、スプリンクラーヘッドカバーが設置されたスプリンクラーヘッドにおいて、ロッジメントの発生を防止して正規の散水パターンを得られるスプリンクラーヘッドを提供することを目的としている。
【課題を解決するための手段】
【００１４】
上記の目的を達成するために、本発明は以下のスプリンクラーヘッドを提供する。
本体の一端側に給水配管と接続されたノズルを有し、ノズルは弁体により閉塞され、弁体は感熱分解部により支持され本体内部に係止されており、感熱分解部の近傍には板状のデフレクターが配置され、デフレクターは本体外部に穿設した穴に挿通されたピンと固定されており、ピンは穴に沿ってノズルの放水方向に移動可能であり、本体外部に設置された筒状のサポートカップには、筒体とカバープレートからなり火災の熱によってカバープレートが筒体から離脱するスプリンクラーヘッドカバーが着脱可能に接続されており、デフレクターをカバープレート側に付勢する付勢部材を設けたスプリンクラーヘッドである。
【００１５】
これによれば、付勢部材によりデフレクターをカバープレート側に付勢したことで、火災時にカバープレートが離脱した際に付勢部材によってデフレクターがノズルの放水方向に移動して感熱分解部から離れる。従って感熱分解部が分解作動したときに感熱分解部の構成部品がデフレクターに衝突したり、係止するという所謂ロッジメントを防止できる。
【００１６】
前記本発明について、付勢部材はサポートカップとピンの間に設置され、ピンを介してデフレクターをカバープレート側に付勢するように構成可能である。
これによれば、付勢部材を例えばコイルバネで構成する場合、バネを大きく形成することができるので、バネにより大きなストロークを得ることができる。
【００１７】
前記本発明について、ピンはサポートリングと接しており、サポートリングを介して付勢部材により付勢されるように構成することができる。
これによれば、前述のように付勢部材としてコイルバネを用いる場合、サポートリングをコイルバネの座面として用いることができ、ピンに偏りなくコイルバネの力を作用させることができる。
【００１８】
前記本発明について、付勢部材はピンの中間部に設けられた鍔部と本体との間に設置され、ピンを介してデフレクターをカバープレート側に付勢するように構成可能である。
これによれば、ピンにコイルバネを挿通させてデフレクターをカバープレート側に付勢することができる。
【００１９】
前記本発明について、付勢部材は本体とデフレクターの間に配置され、デフレクターをカバープレート側に付勢するように構成できる。
これによれば、付勢部材を本体とデフレクターの間に配置させることで、カバープレートが離脱してデフレクターが移動した後に、付勢部材をスプリンクラーヘッドから離脱させることができる。
【００２０】
また、本発明は、前記何れかの本発明によるスプリンクラーヘッドを壁面に設置したものであり、これによりカバープレートが離脱した後に付勢部材の作用によってデフレクターを確実に感熱分解部から離すことが可能であり、感熱分解部が分解作動した際に感熱分解部の構成部品がデフレクターに引っかかることを防止できる。
【発明の効果】
【００２１】
以上説明したように本発明によれば、スプリンクラーヘッドカバーが設置されたスプリンクラーヘッドにおいて、ロッジメントの発生を防止して正規の散水パターンを得られるスプリンクラーヘッドを提供することができる。
【図面の簡単な説明】
【００２２】
【図１】第１実施形態の断面図
【図２】図１のＸ−Ｘ断面図
【図３】図２のスプリンクラーヘッドの分解断面図
【図４】第１実施形態のカバープレートが離脱した状態の断面図
【図５】第１実施形態の作動時（散水時）の断面図
【図６】第２実施形態の断面図
【図７】第３実施形態の断面図
【図８】従来のスプリンクラーヘッドおよびスプリンクラーヘッドカバーの断面図
【発明を実施するための最良の形態】
【００２３】
第１実施形態（図１〜図５）
第１実施形態のスプリンクラーヘッド１００およびスプリンクラーヘッド２００は、特開２０１２−８０９６１号公報や特開２０１１−２１８０６２号公報等に記載されているスプリンクラーヘッドおよびスプリンクラーヘッドカバーと略同じ構造をしている。
【００２４】
スプリンクラーヘッド１００は、壁面Ｗの裏側に敷設された給水配管（図中、二点鎖線で示す）と接続されている。スプリンクラーヘッド１００は、本体１、弁体２、感熱分解部３、デフレクター４、サポートカップ５から構成される。
【００２５】
本体１は筒状であり、内部にノズル６を有している。ノズル６の外部には給水配管と接続するための牡ネジ７が設置されている。ノズル６および給水配管の中心軸は壁面Ｗに対して略垂直に設置されており、これによりノズル６の中心軸が水平向きとなるように設置されている。
【００２６】
ノズル６の出口側は板状の弁体２によって塞がれている。図中においてノズル６の出口より右方にはノズル内径よりも大径をした空間が形成されており、本体１の右端には感熱分解部３が係止される内方フランジ８が形成されている。
【００２７】
感熱分解部３は、図３に示すように複数の部品を組合わせて構成したユニットとなっている。感熱分解部３の詳細な構造については前述の公報に記載されているので詳細な説明は省略する。感熱分解部３は、図１に示すように一対のレバーの端３Ａが本体１の内方フランジ８に係止され、サドル９とネジ１０を介して弁体２をノズル６の出口端に保持している。
【００２８】
デフレクター４は板状をしており、周縁部はスリットにより複数のフィン１１が形成されている。フィン１１はノズル出口端面に対して平行に形成されたものや、ノズル６側に傾けて形成したものがある。デフレクターの周縁部にはピン１２を挿通する２つの穴１３が穿設されており、穴１３にピン１２の一端側を挿通させてデフレクター４とピンを固定接続する。
【００２９】
ピン１２の他端側には鍔部１４が形成されている。ピン１２は本体１のピン穴１５に挿通された後、鍔部１４が設置された側と反対の端がデフレクター４と固定接続される。鍔部１４の外径はピン穴１５の内径よりも大径である。
【００３０】
サポートカップ５は筒状であり、側面には螺旋溝１６が形成されている。螺旋溝１６はスプリンクラーヘッドカバー２００の爪３３と係合可能である。
【００３１】
サポートカップ５の一端側には平面１７が形成されており、平面１７の中央部には本体１と係合する係合穴１８が穿設されている。係合穴１８は多角形状であり、本体１の牡ネジ７の根元付近の係合部１９の外形と略同じ形状をしている。係合穴１８が本体１の係合部１９と係合すると、本体１とサポートカップ５は供回りする。
【００３２】
平面１７とピン１２の鍔部１４の間にはバネ２０とサポートリング２１が設置される。バネ２０はサポートリング２１を介して鍔部１４をノズル６の放水方向に配置されているカバープレート側に付勢している。
【００３３】
スプリンクラーヘッドカバー２００は、リテーナー３１とカバープレート３２から構成される。
【００３４】
リテーナー３１は筒状をしており、側面には所定間隔で爪３３が形成されている。爪３３は外部へ突出して形成されており、前述のサポートカップ５の螺旋溝１６と係合される。爪３３は螺旋溝１６に沿って移動可能であり、スプリンクラーヘッドカバー２００を回転させることで爪３３が螺旋溝１６に沿って移動する。これによりサポートカップ５とリテーナー３１が着脱自在に構成することができるとともに、カバープレート３２が壁面Ｗに近接するように位置を調整することができる。
【００３５】
リテーナー３１のカバープレート３２側の端にはフランジ３４が形成されている。フランジ３４のサポートカップ５側の面はストッパーの作用を有している。具体的にはフランジ３４が壁面Ｗと接することで、これ以上リテーナー３１がサポートカップ５の奥側に移動できないようにしている。フランジ３４からは脚３５がカバープレート３２側に延出して形成されている。脚３５の先端３６はカバープレート３２と平行に折り曲げられ、低融点合金３７によって接合される。低融点合金３７はスプリンクラーヘッド１００の作動温度よりも低い融点のものを使用する。
【００３６】
カバープレート３２は円盤状をしており、銅や銅合金の薄板から形成される。カバープレート３２は前述のようにリテーナー３１の脚３５と低融点合金３７により接合されている。火災時には低融点合金３７が溶融することでカバープレート３２はリテーナー３１から離脱する。
【００３７】
次に、第１実施形態の動作について説明する。
図１に示すようにスプリンクラーヘッド１００は壁面Ｗの穴Ｈを貫通して設置されており、壁面Ｗの裏側に敷設された給水配管と本体１の牡ネジ７が接続している。このときノズル６の中心軸は壁面Ｗに対して略垂直に配置されている。スプリンクラーヘッド１００はスプリンクラーヘッドカバー２００により隠蔽され、室内側からは見えない。スプリンクラーヘッドカバー２００はリテーナー３１の爪３３をサポートカップ５の螺旋溝１６と螺合させてスプリンクラーヘッド１００に取付られている。具体的にはリテーナー３１のフランジ３４が壁面Ｗに近接する位置までサポートカップ５にリテーナー３１を螺合させている。
【００３８】
火災が発生すると、火災の熱によりカバープレート３２をリテーナー３１に接合していた低融点合金３７が溶融してカバープレート３２とリテーナー３１の接合強度が弱まる。するとバネ２０によりカバープレート３２側へ付勢されていたピン１２がバネ２０の作用により図中右へ移動する。これによりピン１２に固定されていたデフレクター４も移動して、デフレクター４は感熱分解部３から離れる。と同時にカバープレート３２はデフレクター４とともに移動してリテーナー３１の脚３５から離れて外部へ放出される。
【００３９】
続いて感熱分解部３の内部の低融点合金が火災の熱により溶融して、感熱分解部３が分解作動する。分解した感熱分解部３の構成部品はサポートカップ５の外へ飛散する。このとき、デフレクター４が感熱分解部３から離れているので、分解した感熱分解部３の構成部品がデフレクター４に衝突してリテーナー３１の内部側に跳ね返って残留したり、デフレクター４のフィン１１の縁に引っかかって係留することを防ぐ。
【００４０】
感熱分解部３の作動によって、感熱分解部３により支えられていた弁体２はノズル６の出口端を離れてノズル６が開放する。ノズル６から放出された水はデフレクター４に衝突して室内に飛散され、火災の鎮圧を行う。
【００４１】
第２実施形態（図６）
続いて第２実施形態について説明する。尚、第１実施形態と構造が同じ箇所には同符号を付して詳細な説明は省略する。第２実施形態では、ピンの中間に形成した鍔部と本体の間に付勢部材を設置して構成したものである。
【００４２】
図６に示す第２実施形態のスプリンクラーヘッド３００は、ピン１２にコイルバネ４０が挿通されており、コイルバネ４０は本体１のピン１２が挿通されたピン穴１５の端面と、ピン１２の中間に固定設置された鍔部４１の間に配置している。より具体的に説明すると鍔部４１は、本体１のピン穴１５とデフレクター４が設置される側の端の間に設置され、コイルバネ４０は、鍔部４１と本体１のピン穴１５の端面の間に設置される。鍔部４１は予めピン１２に形成するか、あるいはピン１２をピン穴１５に挿通した後にピン１２に接続させて設置することもできる。
【００４３】
スプリンクラーヘッド３００にスプリンクラーヘッドカバー２００が装着された状態において、コイルバネ４０は圧縮状態にあり、デフレクター４をカバープレート３２側に付勢している（図６参照）。
【００４４】
火災時にカバープレート３２が離脱すると、コイルバネ４０の作用によりデフレクター４がノズル６の放水方向（図中右側）へ移動してデフレクターは感熱分解部３から離れることができる。
【００４５】
第３実施形態（図７）
続いて第３実施形態について説明する。尚、第１実施形態と構造が同じ箇所には同符号を付して詳細な説明は省略する。第３実施形態では、感熱分解部３の端に付勢部材を設置してデフレクター４をカバープレート３２側に付勢するように構成したものである。
【００４６】
図７に示すスプリンクラーヘッド４００は、感熱分解部３の端とデフレクター４の間にバネ５０が設置されており、バネ５０はデフレクター４をカバープレート３２側に付勢している。このとき、バネ５０の一端を感熱分解部３のヒートコレクター５１とシリンダー５２との結合部５３に接するように構成すると、バネ５０の力によるヒートコレクター５１の変形を防止することができる。
【００４７】
上記では第１実施形態〜第３実施形態のスプリンクラーヘッドおよびスプリンクラーヘッドカバーについて壁面に設置するケースを説明したが、これに限らず天井面に設置するスプリンクラーヘッドに本発明を適用することも可能である。
【符号の説明】
【００４８】
１  本体  
２  弁体  
３  感熱分解部  
４  デフレクター  
５  サポートカップ  
６  ノズル  
１２  ピン  
１４  鍔部  
２０、４０、５０  バネ  
２１  サポートリング  
３１  リテーナー  
３２  カバープレート  
１００、３００、４００  スプリンクラーヘッド  
２００  スプリンクラーヘッドカバー  
【図１】
2014076241.tif 000003
【図２】
2014076241.tif 000004
【図３】
2014076241.tif 000005
【図４】
2014076241.tif 000006
【図５】
2014076241.tif 000007
【図６】
2014076241.tif 000008
【図７】
2014076241.tif 000009
【図８】
2014076241.tif 000010